(57)【特許請求の範囲】
【請求項１】
口部、その口部の下端から斜め外向きに広がる肩部、および、その肩部の下端から下方に延びる胴部を有するチューブ容器本体と、該口部の雄ねじ部に螺合されるキャップとから成り、
前記口部には、その上端から内向きに延びる狭板が設けられており、
前記チューブ容器本体はさらに、口部に装着され、流入を規制する逆流防止弁と、該逆流防止弁の上方で、前記狭板の下面に沿うように配置され、口部の筒状の内周面に沿って下方に延び、肩部の内周面に沿って斜め下方に延びる閉鎖膜と、該閉鎖膜の内側に設けられ、肩部との間で閉鎖膜を狭着する内ショルダーとを有しており、
前記逆流防止弁は、上端に外向きに延びるフランジ部を有する筒状部を備えると共に、該フランジ部を内ショルダーに圧入し嵌合されており、
前記キャップは、天面部に前記閉鎖膜を穿孔するための針体を有することを特徴とする閉鎖膜付きチューブ容器。
【請求項２】
前記逆流防止弁が、球状弁であることを特徴とする請求項１記載の閉鎖膜付きチューブ容器。
【請求項３】
前記逆流防止弁が、舌片状弁であることを特徴とする請求項１記載の閉鎖膜付きチューブ容器。
【請求項４】
口部、その口部の下端から斜め外向きに広がる肩部、および、その肩部の下端から下方に延びる胴部を有するチューブ容器本体と、該口部の雄ねじ部に螺合されるキャップとから成り、
前記口部には、その上端から内向きに延びる狭板が設けられており、
前記チューブ容器本体はさらに、口部に装着される滴下機能を有する弁と、該滴下機能を有する弁の上方で、前記狭板の下面に沿うように配置され、口部の筒状の内周面に沿って下方に延び、肩部の内周面に沿って斜め下方に延びる閉鎖膜と、該閉鎖膜の内側に設けられ、肩部との間で閉鎖膜を狭着する内ショルダーとを有し、
前記滴下機能を有する弁は、上端に外向きに延びるフランジ部を有する筒状部を有すると共に、該フランジ部を内ショルダーに圧入し嵌合され、
前記キャップは、天面部に前記閉鎖膜を穿孔するための針体を有することを特徴とする閉鎖膜付きチューブ容器。
【請求項５】
前記チューブ容器本体が、ラミネートチューブ容器であることを特徴とする請求項１〜４いずれかに記載の閉鎖膜付きチューブ容器。
【請求項６】
前記チューブ容器本体が、樹脂チューブ容器であることを特徴とする請求項１〜４いずれかに記載の閉鎖膜付きチューブ容器。
【請求項７】
請求項１、２、３、４、５あるいは６の閉鎖膜付きチューブ容器と、そのチューブ容器に充填される内容物とからなるチューブ。
【請求項８】
前記内容物が薬効成分を含むものである請求項７記載のチューブ。
【請求項９】
前記内容物の薬効成分が抗ヒスタミン剤、抗炎症剤、鎮痒剤、抗真菌剤、角質軟化剤、収斂・皮膚保護剤、局所麻酔剤及び保湿剤からなる群より選ばれる１種以上である請求項８記載のチューブ。
【発明の詳細な説明】
【技術分野】
【０００１】
本発明は、内容物の逆流、エアバックを防止した逆流防止弁付きチューブ容器および内容物を常に一定量注出する滴下機能付きチューブ容器に関し、さらに詳しくは、開封時までの内容物の保存性にすぐれた閉鎖膜付きチューブ容器およびその容器に内容物が充填されたチューブに関する。
【背景技術】
【０００２】
【特許文献１】特開平９−２０２３３８号公報
【０００３】
従来、クリーム、軟膏等の薬剤等の内容物を充填するチューブ容器として、逆流防止弁付きチューブ容器が使用されている。又目薬等の薬剤を充填するチューブ容器として、滴下機能付きチューブ容器が使用されている。逆流防止弁付きチューブ容器は、容器の復元力により、一旦外部に注出した内容物、外気が、容器内に吸引されるのを防止することを目的とし、滴下機能付きチューブ容器は、内容物を切れ良く、常に一定量を滴下させることを目的として提案されたチューブ容器である。
【０００４】
従来、逆流防止弁付きチューブ容器としては、図６に示すようなチューブ容器がある。図中１００は容器本体であり、この容器本体１００の口部１０１には、逆流防止弁１０２が嵌合されている。そして、この逆流防止弁１０２の球体収納部１０３内には、球体１０６が内装され、球体１０６は、上部の玉止部１０９と、下部１０４に形成された突起部１０８の間を、上下動自在に動く。この容器本体１００の口部１０１には、キャップ１０７が螺合されることにより、容器本体１００の口部１０１の開口が閉鎖されている。
【０００５】
図７に示す逆流防止弁２０２は、同様に容器本体２００の口部２０１内に、筒部２０３が嵌合されている。この筒部２０３の下方には、半径方向中心に向かって突出する底部２０４と、この底部２０４と幅の狭い連結部によって一体的に連結されている舌状弁体２０６が形成されている。そして、これらの容器本体１００、２００の口部１０１、２０１には、通常のキャップ１０７、２０７が螺合されている。
【０００６】
これらの逆流防止弁が嵌合されたチューブ容器１００、２００内に、内容物が充填された後、チューブ容器１００、２００の胴部を押圧すると、球体１０６又は舌片状弁２０６を押し上げて、内容物が外部に吐出される。チューブ容器１００、２００の胴部の押圧を止めると、チューブ容器１００、２００の胴部の復元力により、球体収納部１０３又は筒部２０３内に残留する内容物は、チューブ容器１００、２００内に引き戻されると同時に、外気を吸い込もうとするが、球体１０６又は舌片状弁２０６が、弁孔１０５、２０５を塞ぐことにより、一旦球体１０６又は舌片状弁２０６より上に注出した内容物が、容器本体１００、２００内へ逆流するのが防止されると共に、容器本体内１００、２００内へのエアーバックが防止される。このような逆流防止弁２００の文献としては特許文献１がある。
【発明の開示】
【発明が解決しようとする課題】
【０００７】
しかしながら、従来の逆流防止弁付きチューブ容器にあっては、消費者がチューブ容器内の内容物を使用するまで、流通、陳列等の販売段階に置かれるが、開封前の段階で外気がキャップ及びチューブ容器の口部を透過して、内容物と混合するため短期間に内容物が劣化するという欠点があった。特に逆流防止弁付きチューブ容器内に充填される内容物は、若干の外気に触れても劣化する医薬品等であることが多い。
【０００８】
本発明は、このような課題に着目してなされたものであり、逆流防止弁付きチューブ容器又は滴下機能付きチューブ容器において、開封されるまで、内容物の保存性に優れたチューブ容器を提供することを目的とするものである。
【課題を解決するための手段】
【０００９】
この課題を解決するため、請求項１記載の発明の解決手段は、口部、その口部の下端から斜め外向きに広がる肩部、および、その肩部の下端から下方に延びる胴部を有するチューブ容器本体と、該口部の雄ねじ部に螺合されるキャップとから成り、前記口部には、その上端から内向きに延びる狭板が設けられ、前記チューブ容器本体はさらに、口部に装着され、流入を規制する逆流防止弁と、該逆流防止弁の上方で、前記狭板の下面に沿うように配置され、口部の筒状の内周面に沿って下方に延び、肩部の内周面に沿って斜め下方に延びる閉鎖膜と、該閉鎖膜の内側に設けられ、肩部との間で閉鎖膜を狭着する内ショルダーとを有しており、前記逆流防止弁は、上端に外向きに延びるフランジ部を有する筒状部を備えると共に、該フランジ部を内ショルダーに圧入し嵌合されており、前記キャップは、天面部に前記閉鎖膜を穿孔するための針体を有する閉鎖膜付きチューブ容器であることを特徴としている。逆流防止弁付きチューブ容器の口部に閉鎖膜を形成したから、内容物の使用まで内容物の保存性に優れる。
【００１０】
請求項２記載の発明の解決手段は、逆流防止弁が球状弁であることを特徴とする閉鎖膜付きチューブ容器である。
【００１１】
請求項３記載の発明の解決手段は、逆流防止弁が舌片状弁であることを特徴とする閉鎖膜付きチューブ容器である。
【００１２】
請求項４記載の発明の解決手段は、口部、その口部の下端から斜め外向きに広がる肩部、および、その肩部の下端から下方に延びる胴部を有するチューブ容器本体と、該口部の雄ねじ部に螺合されるキャップとから成り、前記口部には、その上端から内向きに延びる狭板が設けられ、前記チューブ容器本体はさらに、口部に装着される滴下機能を有する弁と、該滴下機能を有する弁の上方で、前記狭板の下面に沿うように配置され、口部の筒状
の内周面に沿って下方に延び、肩部の内周面に沿って斜め下方に延びる閉鎖膜と、該閉鎖膜の内側に設けられ、肩部との間で閉鎖膜を狭着する内ショルダーとを有し、前記滴下機能を有する弁は、上端に外向きに延びるフランジ部を有する筒状部を有すると共に、該フランジ部を内ショルダーに圧入し嵌合され、前記キャップは、天面部に前記閉鎖膜を穿孔するための針体を有することを特徴とする閉鎖膜付きチューブ容器である。滴下機能付きチューブ容器の口部に閉鎖膜を形成したから、内容物の使用まで内容物の保存性に優れる。
【００１３】
請求項５記載の発明の解決手段は、前記いずれかの閉鎖膜付きチューブ容器において、チューブ容器が、ラミネートチューブ容器であることを特徴とする閉鎖膜付きチューブ容器である。
【００１４】
請求項６記載の発明の解決手段は、前記いずれかの閉鎖膜付きチューブ容器において、チューブ容器が、樹脂チューブ容器であることを特徴とする閉鎖膜付きチューブ容器である。
【００１５】
請求項７の発明の解決手段は、前述の閉鎖膜付きチューブ容器と、そのチューブ容器に充填される内容物とからなるチューブである。
【００１６】
請求項８の発明の解決手段は、前記内容物が薬効成分を含むものであるチューブである。
【００１７】
請求項９の発明の解決手段は、前記内容物の薬効成分が抗ヒスタミン剤、抗炎症剤、鎮痒剤、抗真菌剤、角質軟化剤、収斂・皮膚保護剤、局所麻酔剤及び保湿剤からなる群より選ばれる１種以上であるチューブである。
【発明の効果】
【００１８】
本発明に係る閉鎖膜付きチューブ容器は、逆流防止弁付きチューブ容器又は滴下機能付きチューブ容器において、開封時まで内容物の保存性に優れる効果を有する。
【発明を実施するための最良の形態】
【００１９】
以下、本発明の実施例の一例を図面に基づいて説明する。図１は本発明に係る第１の実施形態のチューブ容器を示す断面図、図２は図１のチューブ容器の閉鎖膜を穿孔している状態を示す断面図、図３は本発明に係る第２の実施形態チューブ容器を示す断面図、図４は図３のチューブ容器の閉鎖膜を穿孔している状態を示す断面図、図５は本発明に係る第３の実施形態のチューブ容器を示す断面図である。
【００２０】
図１および図２は、本発明の第１の実施形態を示している。その第１の実施形態のチューブ容器は、単層、多層又はラミネートのチューブ容器本体１と、そのチューブ容器本体の口部２に設けられる逆流防止弁３とからなる。その逆流防止弁３は、口部２の下方から内部に圧入し嵌合され、口部２に装着されている。前記逆流防止弁３は球状弁であり、上端に外向きに延びるフランジ部５を有する筒状の球体収納部４と、この球体収納部４内に内装される球体６から構成されている。前記球体収納部４の下端は開口しており、球体６を圧入する挿入口７となっている。その球体収納部４の上端の内面からは、球体６を係止する複数の球止部８が内むきに突出している。一方、下端の内面からは球体６と密に当接する突起部９が内向きに突出している。前記球体６はそれら球止部８と突起部との間を上下動することにより、逆止弁機能を果たす。なお、本発明の用いられる内容物の粘度としては、１００〜１００００ｍＰａ・ｓ（Ｂ型粘度計、ロータＮｏ．４、回転数６０ｒｐｍ、２５℃）が好ましい。
【００２１】
また、チューブ容器本体１は、キャップ１５と螺合する雄ねじが形成された筒状の口部２と、その口部２の下端から連続し、斜め外向きに広がる肩部１１と、その肩部１１の下端から下方に延びる略有底筒状で内容物を押し出す胴部とからなる。前記口部２の上端からは、内向きに延びて段部を形成し、筒状内部を縮径する狭板２ａと、その狭板の内端からさらに上方に突出し、中央にチューブ容器本体１の内部と連通する開口部が形成された開口突部１４が設けられている。その開口突部１４の開口部は、内径が２ｍｍ以上で、好ましくは２〜３ｍｍで、高さが４ｍｍ以上で、好ましくは４〜１０ｍｍである。
【００２２】
前記開口突部１４と口部２との間は、閉鎖膜１２により塞がれている。その閉鎖膜１２は、口部２の狭板２ａの下面に沿うように配置され、口部２の筒状の内周面に沿って下方に延び、肩部１１の内周面に沿って斜め下方に延びている。その閉鎖膜１２のさらに内側には内ショルダー１３がある。前記閉鎖膜１２は、その内ショルダー１３と肩部１１とで両側から挟着されている。内ショルダー１３は、肩部１１とほぼ同じ形状である。そして、その上端の部分は口部２の狭板２ａの下面側に沿うように内向きに延びる鍔状部１３ａを備えている。その鍔状部１３ａは口部２（開口突部１４）の開口部の内面と面一になる位置まで延びており、その内側が開口１０である。
【００２３】
前記閉鎖膜１２は、例えば、アルミニウム箔に、ポリエチレン樹脂又はポリエチレンテレフタレート樹脂等を積層した構成、或いはナイロン樹脂、ポリ塩化ビニリデン樹脂、ポリビニルアルコール樹脂、エチレン−ビニルアルコール共重合体等のガスバリア性樹脂に、ポリエチレン樹脂又はポリエチレンテレフタレート樹脂等を積層した構成である。なお、閉鎖膜１２の厚みは１００〜２００μｍ、好ましくは１１０〜１５０μｍである。
【００２４】
前記キャップ１５は、内側に内筒１６が形成され、内筒１６の天面には針体１７が形成されている。チューブ容器１の開口１０の閉鎖膜１２を穿孔する場合は、図２に示すように、キャップ１５をチューブ容器１から螺合を外し、逆さにしてキャップ１５の針体１７を、開口突起１４の開口から挿入して閉鎖膜１２を穿孔する。その針体１７の直径は２ｍｍ以下で、好ましくは０．８〜１．５ｍｍである。
【００２５】
前記閉鎖膜付チューブ容器に充填される内容物としては、例えば、液剤、軟膏剤、クリーム剤、ゲルクリーム剤やゲル剤等が挙げられる。液剤、クリーム剤、ゲルクリーム剤及びゲル剤は、通常、アルコール、ゲル化剤、油分、水、及び界面活性剤等を含有する。
【００２６】
アルコールは、好ましくは低級アルコール、より好ましくは炭素数１〜３のアルコールが挙げられる。炭素数１〜３のアルコールとしては、例えば、メタノール、エタノール、イソプロパノール、ｎ−プロパノール等が挙げられる。ゲル化剤は、例えば、カルボキシビニルポリマー等のアクリル酸系高分子、ヒドロキシプロピルメチルセルロース、エチルセルロース等のセルロース系高分子やポリビニルアルコール等が挙げられる。油分は、例えば、スクワラン、流動パラフィン等の炭化水素類や、ミリスチン酸イソプロピル、アジピン酸ジイソプロピル及びミリスチン酸オクチルドデシル等のエステル類等が挙げられる。
【００２７】
界面活性剤としては、陽イオン性界面活性剤、陰イオン性界面活性剤、両性界面活性剤、非イオン性界面活性剤が挙げられ、好ましくは非イオン性界面活性剤である。非イオン性界面活性剤の具体例としては、プロピレングリコールモノ脂肪酸エステル、エチレングリコールモノ脂肪酸エステル、グリセリンモノ脂肪酸エステル、ポリグリセリン脂肪酸エステル、ソルビタン脂肪酸エステル、ショ糖脂肪酸エステル、メチルグルコシド脂肪酸エステル、アルキルポリグルコシド等の多価アルコール脂肪酸エステル又は多価アルコールアルキルエーテル；ポリオキシエチレンアルキルエーテル、ポリオキシエチレンアルキルフェニルエーテル、ポリオキシエチレンフィトステロール、ポリオキシエチレンフィトスタノール、ポリオキシエチレンコレステロール、ポリオキシエチレンコレスタノール、ポリオキシエチレンポリオキシプロピレンアルキルエーテル等のポリオキシエチレンエーテル；ポリオキシエチレンモノ脂肪酸エステル、ポリエチレングリコールジ脂肪酸エステル、ポリオキシエチレングリセリン脂肪酸エステル、ポリオキシエチレンソルビタン脂肪酸エステル、ポリオキシエチレンソルビトール脂肪酸エステル、ポリオキシエチレンメチルグルコシド脂肪酸エステル、ポリオキシエチレンヒマシ油・硬化ヒマシ油、ポリオキシエチレン植物油、ポリオキシエチレンアルキルエーテル脂肪酸エステル、ポリオキシエチレンポリオキシプロピレングリコール等のエーテルエステル等が挙げられ、特にグリセリン脂肪酸エステル、ソルビタン脂肪酸エステル、ポリオキシエチレンソルビタン脂肪酸エステルが好ましい。非イオン性界面活性剤のＨＬＢは２〜１８が好ましく、特に３〜１７が好ましい。例えば、グリセリン脂肪酸エステルのＨＬＢが３〜１０が好ましく、特に４〜８が好ましい。ソルビタン脂肪酸エステルのＨＬＢが２〜１０が好ましく、特に３〜６が好ましい。ポリオキシエチレンソルビタン脂肪酸エステルのＨＬＢが９〜１８が好ましく、特に１４〜１７が好ましい。
【００２８】
液剤における、アルコールの含有量は、全量に対して通常２５〜６０質量％、好ましくは３０〜５５質量％である。ゲル化剤の含有量は、全量に対して通常０〜５質量％、より好ましくは０．０５〜５質量％である。油分の含有量は、全量に対して通常０〜１０質量％、より好ましくは１〜８質量％である。界面活性剤の含有量は、全量に対して通常0〜１０質量％、より好ましくは０〜５質量％である。水の含有量は、全量に対して通常２０〜６０質量％、より好ましくは３０〜５０質量％である。
【００２９】
クリーム剤における、アルコールの含有量は、全量に対して通常０〜２５質量％、好ましくは０〜１０質量％である。ゲル化剤の含有量は、全量に対して通常０〜５質量％、より好ましくは０．０５〜２質量％である。油分の含有量は、全量に対して通常５〜３０質量％、より好ましくは７〜３０質量％である。界面活性剤の含有量は、全量に対して通常０．０１〜１０質量％、より好ましくは０．０５〜５質量％である。水の含有量は、全量に対して通常２０〜９０質量％、より好ましくは４０〜８０質量％である。
【００３０】
ゲルクリーム剤における、アルコールの含有量は、全量に対して通常２５〜６０質量％、好ましくは３０〜５０質量％、特に好ましくは３０〜４０質量％である。ゲル化剤の含有量は、全量に対して通常０．０１〜５質量％、より好ましくは０．０５〜５質量％、特に好ましくは０．５〜２．５質量％である。油分の含有量は、全量に対して通常５〜３０質量％、より好ましくは７〜３０質量％、特に好ましくは７〜２０質量％である。界面活性剤の含有量は、全量に対して通常０．０１〜１０質量％、より好ましくは０．０５〜５質量％、特に好ましくは０．１〜５質量％である。水の含有量は、全量に対して通常２０〜６０質量％、より好ましくは３０〜５０質量％、特に好ましくは４０〜５０質量％である。
【００３１】
ゲル剤における、アルコールの含有量は、全量に対して通常２５〜６０質量％、より好ましくは３０〜５０質量％である。ゲル化剤の含有量は、全量に対して通常０．０１〜５質量％、好ましくは０．０５〜５質量％である。油分の含有量は、全量に対して通常０〜１０質量％、より好ましくは１〜８質量％である。界面活性剤の含有量は、全量に対して通常0〜１０質量％、より好ましくは０〜５質量％である。水の含有量は、全量に対して通常２０〜６０質量％、より好ましくは３０〜５０質量％である。
【００３２】
前記チューブ容器に充填される内容物には、薬効成分や各種任意成分（例えば、pH調節剤、保存剤、安定化剤及び湿潤剤等）を所望に応じて含有させることが可能である。
薬効成分としては特に限定されるものではなく、例えば、抗ヒスタミン剤、抗炎症剤、鎮痒剤、抗真菌剤、角質軟化剤、収斂・皮膚保護剤、局所麻酔剤、保湿剤等が挙げられ、これら薬効成分は単独で用いてもよいし、２種以上を組み合わせてもよい。
抗ヒスタミン剤としては、例えば、ジフェンヒドラミン、塩酸ジフェンヒドラミン、ラウリル硫酸ジフェンヒドラミン、マレイン酸クロルフェニラミン、塩酸イソチペジル等が挙げられる。
【００３３】
抗炎症剤としては、例えば、酢酸ヒドロコルチゾン、酢酸プロピオン酸ヒドロコルチゾン、プレドニゾロン、メチルプレドニゾロン、酢酸メチルプレドニゾロン、吉草酸酢酸プレドニゾロン、ジフルプレドナート、吉草酸酢酸ジフルコルトロン、フルオシノロンアセトニド、フルドキシコルチド、フルオシノニド、ハルシノニド、アムシノニド、ピバル酸フルメタゾン、トリアムシノロンアセトニド、デキサメタゾン、酢酸デキサメタゾン、吉草酸デキサメタゾン、プロピオン酸デキサメタゾン、ジプロピオン酸ベタメタゾン、プロピオン酸ベクロメタゾン、酪酸クロベタゾン、プロピオン酸クロベタゾール、酢酸ジフロラゾン、酪酸プロピオン酸ベタメタゾン、ブフェキサマック、ベンダザック、フルフェナム酸ブチル等のステロイド系抗炎症剤、テノキシカム、インドメタシン、ジクロフェナクナトリウム、フルフェナム酸、ブフェキサマック、ザルトプロフェン、ナプロキセン、イブプロフェン、フルルビプロフェン、ケトチフェン、フルルビプロフェンアキセチル、フェンブフェン、ロキソプロフェンナトリウム、フェルビナク、メフェナム酸、ピロキシカム、アンピロキシカム等の非ステロイド系抗炎症剤が挙げられる。
【００３４】
鎮痒剤としては、例えば、クロタミトン、サリチル酸メチル等が挙げられる。
抗真菌剤としては、例えば、硝酸ミコナゾール、ビフォナゾール、塩酸クロコナゾール、クロトリマゾール、硝酸エコナゾール、硝酸イソコナゾール、硝酸オキシコナゾール、硝酸スルコナゾール、ケトコナゾール、塩酸ネチコナゾール、ナイスタチン、ピマリシン、シッカニン、トリコマイシン、バリオチン、トルシクラート、トルナフテート、塩酸ブテナフィン、テルビナフィン、複合ウンデシレン酸、シクロピロクスオラミン、エキサラミド、ハロプロジン、フェニルヨードウンデシレン酸等が挙げられる。
角質軟化剤としては、例えば、サリチル酸、尿素等が挙げられる。
収斂・皮膚保護剤としては、例えば、グアイアズレン、ポビドンヨード、ヘパリン類似物質等が挙げられる。
【００３５】
局所麻酔剤としては、例えば、アミノ安息香酸エステル、塩酸オキシブプロカイン、塩酸ジブカイン、塩酸テトラカイン、塩酸パラブチルアミノ安息香酸ジエチルアミノエチル、塩酸ブピバカイン、塩酸プロカイン、塩酸メビバカイン、塩酸ロピバカイン水和物、オキセサゼイン、ピペリジノアセチルアミノ安息香酸エチル、リドカイン、塩酸リドカイン等が挙げられる。
保湿剤としては、例えば、尿素、ヘパリン類似物質、ピロリドンカルボン酸、コラーゲン、γ−オリザノール、γ−リノレイン酸、リノール酸、ビタミンＥ、ビタミンＤ、ビタミンＡ、スクワレン、スクワラン、グリセリン、ポリエチレングリコール、コレステロール、トリグリセリド、セラミド等が挙げられる。
【００３６】
pH調節剤としては、クエン酸、リン酸、酒石酸、乳酸等の有機酸、塩酸等の無機酸、水酸化ナトリウム等の水酸化アルカリ金属、トリエタノールアミン、ジエタノールアミン、ジイソプロパノールアミン等のアミン類等が挙げられる。
保存剤としては、バラオキシ安息香酸エステル類、塩化ベンザルコニウム等が挙げられる。
安定化剤としては、ジブチルヒドロキシトルエン、ブチルヒドロキシアニソール、エデト酸塩等が挙げられる。
また、湿潤剤としては、グリセリン、エチレングリコール、プロピレングリコール、オレイルアルコール、１，３−ブチレングリコール、イソプロピレングリコール、ポリエチレングリコール等の多価アルコールが挙げられる。
なお、液剤、軟膏剤、クリーム剤、クリームゲル剤やゲル剤等の前記チューブ容器に充填される内容物は、公知の方法（例えば、第十五改正日本薬局方  製剤総則等）にしたがって、製造することができる。
【００３７】
図３および図４は、本発明の第２の実施形態を示している。図中の符号２１は逆流防止機能を有するチューブ容器本体であり、単層、多層又はラミネートのチューブ容器である。チューブ容器本体２１の口部２２には、舌片状弁である逆流防止弁２３が、口部２２内に圧入され嵌合されることにより、口部２２に装着されている。逆流防止弁２３は、本体である筒部２４及びこの筒部２４の上端に形成されるフランジ部３０、さらに筒部２４の底部２５の中心に穿設される弁孔２７を塞ぐための舌片状弁２６とから構成されている。底部２５と舌片状弁２６は幅の狭い連結部によって、一体的に連結され、底部２５の上面を水平に形成した弁座２８に係脱自在に当接する。
【００３８】
一方、チューブ容器２１の口部２２の雄ねじ部には、キャップ３５が螺合される。キャップ３５の内側には、内筒３６が形成され、内筒３６の天面には針体３７が形成されている。そして、チューブ容器２１の開口２０の閉鎖膜２９を穿孔する場合は、図４に示すように、キャップ３５をチューブ容器２１から螺合を外し、逆さにしてキャップ３５の針体３７を、開口突起３４の開口から挿入して閉鎖膜２９を穿孔する。
【００３９】
図５及び図６は、本発明の第３の実施形態を示している。図中の符号４１は滴下機能を有するチューブ容器本体であり、前述の実施形態と同様に単層、多層又はラミネートのチューブ容器本体である。チューブ容器本体４１の口部４２には、球体収納部４４が内装されている。球体４６は高い真球度で形成され、かつ球体４６は玉止部５０によって上下に移動せずに固定されている。又この球体収納部４４の上部の内周面には、溝４８が形成され、チューブ容器４１を押圧すると、内容物がこの溝４８を通過して、一定量だけ外部に流出する。溝４８の深さ、幅については、内容物の粘度、一滴の抽出量に応じて、任意に形成することができる。なお、溝４８に代えて球体４６の表面又は球体収納部４４の内周面に、シボ加工が施されてもよい。
【００４０】
一方、チューブ容器本体４１の口部４２の雄ねじには、キャップ５５が螺合されている。キャップ５５は、内筒５６内に雌ねじが形成され、内筒５６の天面には針体５７が形成されている。チューブ容器４１の開口４０の閉鎖膜４９を穿孔する場合は、同様に、キャップ５５をチューブ容器４１から螺合を外し、逆さにしてキャップ５５の針体５７をチューブ容器４１のノズル部５４の開口から挿入して穿孔する。
【産業上の利用可能性】
【００４１】
本発明は、外部からのガス透過を完全に防止できるので、開封まで流通、販売過程における内容物の劣化を防止することができる。したがって、従来の逆流防止機能或いは滴下機能に加え、ガス遮断性機能を併せ持つチューブ容器として、医薬品、食品等を充填するのに広く適し、多岐にわたって利用することができる。
【図面の簡単な説明】
【００４２】
【図１】本発明に係る第１の実施形態のチューブ容器を示す断面図である。
【図２】図１のチューブ容器の閉鎖膜を穿孔している状態を示す断面図である。
【図３】本発明に係る第２の実施形態チューブ容器を示す断面図である。
【図４】図３のチューブ容器の閉鎖膜を穿孔している状態を示す断面図である。
【図５】本発明に係る第３の実施形態のチューブ容器を示す断面図である。
【図６】従来の逆流防止弁付きチューブ容器を示す断面図である。
【図７】従来の逆流防止弁付きチューブ容器を示す断面図である。
【符号の説明】
【００４３】
１  ２１  ４１  チューブ容器本体
２  ２２  ４２  口部
３  ２３  逆流防止弁
４  ４４  球状収納部
６  ４６  球体
８  玉止部
１２  ２９  ４９  閉鎖膜
１５  ３５  ５５  キャップ
１７  ３７  ５７  針体
２４  筒部
２６  舌片状弁
４８  溝
【図１】
0005302550.tif 000002
【図２】
0005302550.tif 000003
【図３】
0005302550.tif 000004
【図４】
0005302550.tif 000005
【図５】
0005302550.tif 000006
【図６】
0005302550.tif 000007
【図７】
0005302550.tif 000008